(57)【要約】【課題】良好に取付けることができる天井壁の板厚の自由度を広げることができ、さらに汎用性を高めることができる天井埋込形器具及び天井埋込形照明器具を提供する。【解決手段】板ばね６，６は、当該板ばね６の第一湾曲部６Ａに捻り部６３を形成することによって、第一湾曲部６Ａ，第二湾曲部６Ｂの平板面６Ａ１，６Ｂ１の一方の側部６４が他方の側部６５よりも外側に張出すので、この平板面６Ａ１，６Ｂ１の一方の側部６４が埋込穴７１の周縁７２に当接する。これにより、仮に捻り部を設けない状態の板ばねよりも、当該一方の側部６４と埋込穴７１との接触間隔が短くなって比較的大きな摩擦力が生じやすくなっており、その結果、器具本体１を上方に引上げる反発力が増すことになる。【選択図】図１
2006185602.tif 000002
【特許請求の範囲】
【請求項１】
天井璧に埋め込まれた状態において天井壁の表側に当設するフランジを有する器具本体と；
器具本体のフランジ側に固定されている根元部と、根元部から斜め上方に延在する自由端部とを備え、器具本体の周方向に等間隔で設けられる平板からなる複数の板ばねと；
板ばねの平板面の一方の側部が他方の側部よりも外側へ張出す状態となるように根本部近郊の平板面を捻るとともに、複数の板ばねの捻り方向が同方向となるように各々の板ばねに形成された捻り部と；
を具備することを特徴とする天井埋込形器具。
【請求項２】
請求項１記載の天井埋込形器具と；
一端側に投光開口を有し、器具本体に設けられる反射板と；
反射板内に設けられる光源と；
を具備することを特徴とする天井埋込形照明器具。
【発明の詳細な説明】
【技術分野】
【０００１】
本発明は、板ばねによって天井璧に支持される天井埋込形器具及び天井埋込形照明器具に関する。
【背景技術】
【０００２】
従来から、この種の天井埋込形器具は、複数の板ばねを用いて天井壁に支持させる支持構造が知られている（例えば、特許文献１参照。）。
【０００３】
すなわち、特許文献１記載の技術は、器具本体の外側部の周方向に１８０°離れた位置において取付け手段として一対の板ばねが取付けられている。これら一対の板ばねは、根元部が器具本体の開口側に固定され、自由端部側が器具本体の下部から斜め上方に延出し構成されているものである。
【０００４】
そして、天井璧への取付は、器具本体の両側の板ばねをそれぞれその弾性力に抗して押し込んでつぼめ、天井壁の器具取付け孔内にその下方から挿入して板ばねから手を離し、器具本体を押し上げる。これに応じて器具本体の両側の板ばねが外側に弾性的に拡開して傾斜し、この傾斜した板ばねが器具取付け孔の周縁に当接する。
【０００５】
以上の手順により、広がろうとする一対の板ばねの弾性的な付勢力で器具本体が上方に引き上げられて、フランジの上面が器具取付け孔の周辺の天井壁に圧接し、この圧接力で器具本体が天井壁の裏側に埋込まれた状態で天井壁に支持されるというものである。
【特許文献１】特開平１０−６９８１３号公報
【発明の開示】
【発明が解決しようとする課題】
【０００６】
しかしながら、従来の技術では、天井壁の板厚の条件によっては、板ばねによって作用する引き上げ力が弱くなってしまい、天井壁とフランジとの間に隙間を形成してしまう虞があった。
【０００７】
すなわち、天井壁の板厚は、設置する建物等の条件によって異なるものである。そこで、比較的天井壁の板厚に影響されずに使用できる構造として、従来から知られている板ばねが採用されていた。
【０００８】
この従来の板ばねは、天井壁の板厚が比較的適度な厚さを有するものであれば、器具取付け孔の周縁に板ばねが取付けられた状態において、互いの板ばねが外側に拡開しようとする弾性的な付勢力が肉厚の当該器具取付け孔の周縁によって制限されて、大きな圧接力を生じることになる。要するに、当該板ばねは、互いの板ばねの自由端部が適度に近づいた状態（各板ばねの平板面が器具取付け孔の周縁に適度な角度で当接している状態）で当接保持されている状態であるために、適度な付勢力が作用して圧接力を生じており、その結果、器具本体のフランジの上面が器具取付け孔の周辺の天井壁に圧接して良好な取付状態となる。
【０００９】
しかしながら、天井の板厚が薄いものであると、器具取付け孔の周縁に板ばねが取付けられた状態において、互いの板ばねが外側に拡開しようとする弾性的な付勢力が当該器具取付け孔の周縁によって制限され難くなり、圧接力が小さくなってしまう虞があった。要するに、当該板ばねは、互いの板ばねの自由端部が若干近づいた程度の状態（各板ばねの平板面が器具取付け孔の周縁に小さな角度で当接している状態）で当接保持される状態となるために、小さな付勢力しか作用しないので、圧接力が小さくなってしまい、その結果、器具本体のフランジの上面と器具取付け孔の周辺の天井壁とに隙間を生じる取付状態となってしまう虞があった。
【００１０】
さらにまた、天井壁の板厚が厚いものであれば、器具取付け孔の周縁に板ばねが取付けられた状態において、当該板ばねは、互いの板ばねの自由端部が大きく近づきすぎる状態となる。要するに、各板ばねの平板面が器具取付け孔の周縁に大きな角度で当接保持される状態となるので、付勢力が作用し難くなって圧接力が小さくなってしまい、その結果、器具本体のフランジの上面と器具取付け孔の周辺の天井壁とに隙間を生じる取付状態となってしまう虞があった。
【００１１】
なお、上記課題を解決するために、各板ばねの自由端部側をさらに外側側方に拡開する構成を採用することで、各板ばね付勢力を高めるということが考えられるが、付勢力を高めすぎると特に板厚の薄い天井壁を損傷してしまう虞があるので、板ばねを拡開させる寸法には制限があった。
【００１２】
本発明は上記の点に鑑みなされたものであり、良好に取付けることができる天井壁の板厚の自由度を広げることができ、さらに汎用性を高めることができる天井埋込形器具及び天井埋込形照明器具を提供することを目的とする。
【課題を解決するための手段】
【００１３】
請求項１記載の天井埋込形器具は、天井璧に埋め込まれた状態において天井壁の表側に当設するフランジを有する器具本体と；器具本体のフランジ側に固定されている根元部と、根元部から斜め上方に延在する自由端部とを備え、器具本体の周方向に等間隔で設けられる平板からなる複数の板ばねと；板ばねの平板面の一方の側部が他方の側部よりも外側へ張出す状態となるように根本部近郊の平板面を捻るとともに、複数の板ばねの捻り方向が同方向となるように各々の板ばねに形成された捻り部と；を具備することを特徴としている。
【００１４】
捻り部は、平板状に形成された板ばねの一部を捻ることで形成されるものである。すなわち、板ばねを正対して見た際に、平板面の二側部のうちの一方の側部が外側に張出すように設けられている状態である。
【００１５】
請求項１の天井埋込形照明器具によれば、天井の板厚が薄いものであっても、器具取付け孔の周縁に板ばねが取付けられた状態において、当該板ばねは、各板ばねの捻り部によって他方の側部よりも外側に張出すように設けられている平板面の一方の側部が器具取付け孔の周縁に当接するために、当該平板面の一方の側部が支点となる比較的大きな付勢力が作用することで圧接力が増すことになる。要するに、当該平板面の一方の側部と器具取付け孔との接触間隔が捻り部を設けない板ばねよりも短くなるので、当該平板面の一方の側部と器具取付け孔の周縁との間で比較的大きな摩擦力が生じやすいようになっており、これにより器具本体を上方に引上げる反発力が増すことになる。
【００１６】
したがって、器具本体が上方に引き上げられて、フランジの上面が器具取付け孔の周辺の天井壁に圧接し、この圧接力で器具本体が天井壁の裏側に埋込まれた状態で天井壁に支持される。
【００１７】
また、上記各捻り部の捻り方向が同一となるように形成されていることにより、互いの板ばねの捻り部によって外側に張出すように設けられている平板面の各側部は、不安定な状態で器具本体が天井壁の周縁に支持されることを防いでおり、安定した良好な状態で器具本体を天井壁に取付けることができる。
【００１８】
また、天井壁の板厚が厚いものであれば、器具取付け孔の周縁に板ばねが取付けられた状態において、各板ばねの自由端部が大きく近づいた状態となり付勢力が作用し難くなるが、各板ばねの捻り部によって他方の側部よりも外側に張出すように設けられている平板面の一方の側部が器具取付け孔の周縁に当接するために、当該平板面の一方の側部が支点となる比較的大きな付勢力が作用することで圧接力が増すことになる。要するに、当該平板面の一方の側部と器具取付け孔との接触間隔が捻り部を設けない板ばねよりも短くなることで、当該側部と器具取付け孔の周縁との間に比較的大きな摩擦力が生じやすいようになっており、これにより、器具本体を上方に引上げる反発力が増すことになる。
【００１９】
したがって、本発明の板ばねによれば、天井壁の板厚が薄いものであっても厚いものであっても良好な取付状態とすることができるので、汎用性を高まることができる。
【００２０】
さらにまた、本発明の板ばねによれば、各板バネが捻り部を形成しているので、器具本体を天井壁の器具取付け孔内にその下方から挿入して押し上げる際に、各板ばねが挿入方向に対してガイドするように作用するので、器具本体の取付け作業が容易となる。
【００２１】
請求項２記載の天井埋込形照明器具は、請求項１記載の天井埋込形器具と；一端側に投光開口を有し、器具本体に設けられる反射板と；反射板内に設けられる光源と；を具備することを特徴としている。
【００２２】
反射板は、器具本体内に別体で設けられるもの又は器具本体と一体となっているもの等含まれるものであって、反射板としての作用を奏するものであれば、構成は限定しない。
【００２３】
請求項２の照明器具によれば、請求項１記載の作用効果を奏する照明器具を提供することができる。
【発明の効果】
【００２４】
請求項１の天井埋込形器具によれば、平板状に形成されている各板ばねの根本部側に形成した捻り部によって、他方の側部よりも外側へ張出すように設けられている平板面の一方の側部が器具取付け孔の周縁に当接するように構成したことにより、当該平板面の一方の側部と器具取付け孔との接触間隔が短くなるので、当該該一方の側部と器具取付け孔の周縁とで比較的大きな摩擦力を生じやすくなっており、それに伴い各板ばねの付勢力が作用して圧接力が増すことになる。したがって、フランジの上面が器具取付け孔の周辺の天井壁に圧接した良好な取付状態となる。
【００２５】
ゆえに、埋込形器具を良好に取付けることができる天井壁の板厚の自由度を広ろげることができるので、汎用性を高まることができる。
【発明を実施するための最良の形態】
【００２６】
以下、本発明の一実施の形態を図面を参照して説明する。
【００２７】
図１は本実施形態の埋込形照明器具を板厚の薄い天井壁へ取付けた状態を示す一部正面断面図、図２は図１の埋込形照明器具の要部を示した側面図、図３は図１の埋込形照明器具を天井に取付けた状態を示す上面図、図４は図１の埋込形照明器具を板厚の厚い天井壁へ取付けた状態を示す正面図である。
【００２８】
天井埋込形照明器具である照明器具１は、図１に示すように、器具本体１０、ソケット２、光源３、反射板５、及び板ばね６を有するものであって、板厚の薄い天井壁７に形成された器具取付け孔である埋込孔７１を通じて殆どが天井壁７内に埋込配置されるものである。
【００２９】
器具本体１０は、上部側にソケット２が設けられるとともに、このソケット２の横方向に延出する天板１１を有している。そして、天板１１には、光源３の点灯装置等の電気分品が収納されている収納ボックス１２、収納ボックス１２のさらに横方向に端子台１３が設けられている。
【００３０】
また器具本体１０は、天板１１から下方方向に灯体１０Ａを備え、この灯体１０Ａ内に光源３、反射板５を収納し、さらに、下端側には天井壁７の埋込穴７１の縁部に係止するフランジ１９が設けられている。
【００３１】
光源３は、蛍光ランプであって、透光性を有するガラス管がＵ字状に複数個形成されて一つの放電路構成しているものであり、ガラス管の内面には、蛍光体被膜が形成されるとともに、ガラス管内には所定量の水銀、希ガス等が封入されている。そして、このガラス管の一端側には口金３１が設けられている。
【００３２】
反射板５は、下方側である一端側に投光開口５１、上部である他方側に図示しない光源挿通孔が形成された略釣鐘形となっており、灯体１０Ａの内部に一体または別体となるように配設されている。
【００３３】
さらに器具本体１０には、灯体１０Ａの照明器具１を天井板７に取付固定するための一対の板ばね６が、周方向１８０度離れた位置に設けられている。これら一対の板ばね６は、根元部６１が器具本体１のフランジ１９側に固定され、第一湾曲部６ａ、第二湾曲部６ｂを介して自由端部６２が器具本体１の下部から斜め上方に延出して形成されている。
【００３４】
ここで、板ばね６について図１〜３を参照して説明する。
【００３５】
図２に示すように、板ばね６は、当該板ばね６を正対して見ると第二湾曲部６Ｂの平板面６Ｂ１が捻られて見えるように構成されているものである。
【００３６】
これは、第一湾曲部６Ａの一部を斜め上方の方向に捻る捻り部６３を形成しているからである。そして、このように形成すると、図１、２に示すように、第一湾曲部６Ａ，第二湾曲部６Ｂの平板面６Ａ１，６Ｂ１の一方の側部６４が他方の側部６５よりも外側（図２では手前側）に張出すように設けられることとなる。
【００３７】
ここで、本実施形態の照明器具１の天井壁７への取付方法について説明する。
【００３８】
図１に示すように、照明器具１は、天井壁７の埋込穴７１の周辺にフランジ１９が位置するように天井板７内に埋込配置される。
【００３９】
すなわち、まず、器具本体１の両側の板ばね６、６をそれぞれその弾性力に抗して（すなわち、互いの自由端部６２，６２が近づくようにすること）天井壁７の埋込穴７１内その下方から挿入し、板ばね６，６から手を離し、器具本体１０を下側から押し上げる。これに応じて器具本体１の両側の板ばね６，６が外側に弾性的に拡開して傾斜し、この傾斜した板ばね６が埋込穴７１の周縁７２に当接する。
【００４０】
このとき、すなわち、器具本体１０を天井壁７の埋込穴７１内にその下方から挿入して押し上げる際に、捻り部６３が形成されている各板ばね６，６が挿入方向に対してガイドするように作用するので、器具本体１０の取付け作業が容易となる。
【００４１】
そして、上記天井壁７への器具本体１０の取付状態について詳述すると、埋込穴７１の周縁７２に板ばね６、６が取付けられた状態において、各板ばね６，６が外側に拡開しようとする弾性的な付勢力は、当該埋込穴７１の周縁７２に捻り部６３によって形成された一方の側部６４が当接することで大きく作用することとなる。
【００４２】
要するに、当該板ばね６，６の状態は、板ばね６の第一湾曲部６Ａに捻り部６３を形成することによって、第一湾曲部６Ａ，第二湾曲部６Ｂの平板面６Ａ１，６Ｂ１の一方の側部６４が他方の側部６５よりも外側に張出すので、この平板面６Ａ１，６Ｂ１の一方の側部６４が埋込穴７１の周縁７２に当接する。これにより、仮に捻り部を設けない状態の板ばねよりも、当該一方の側部６４と埋込穴７１との接触間隔が短くなるので、当該一方の側部６４と埋込穴７１との間に摩擦力が生じやすくなっており、器具本体１を上方に引上げる反発力が増すことになる。
【００４３】
また、各板ばね６，６の捻り部６３，６３の捻り方向（すなわち、第一湾曲部６Ａの一部を斜め上方の方向に捻る方向）が同一となるように形成しているので、互いの板ばね６，６の捻り部６３，６３の張出すように設けられている各側部６４が１８０度対称となるように形成されている。これにより、当該各一方の側部６４、６４が支点となって作用する付勢力が１８０度対象に加わるので、周方向対象であっても均等に付勢力を作用させることができる。
【００４４】
したがって、板厚が薄い天井壁７であっても、一対の板ばね６，６の弾性的な付勢力で器具本体１０が上方に引き上げられて、フランジ１９の上面が埋込穴７１の周辺の天井壁７に圧接し、この圧接力で器具本体１０が天井壁７の裏側に埋込まれた良好な状態で天井壁７に支持される。
【００４５】
また、天井壁７の板厚が厚いものであっても、埋込穴７１の周縁７２に板ばね６，６が取付けられた状態において、各板ばね６の自由端部６２が大きく近づいた状態となり付勢力が作用し難くなるが、各板ばね６の捻り部６３によって他方の側部６５よりも外側に張出すように設けられている平板面６Ａ１，６Ｂ１の一方の側部６４が埋込穴７１の周縁７２に当接するために、当該平板面６Ａ１，６Ｂ１の一方の側部６５が支点となる比較的大きな付勢力が作用することで圧接力が増すことになる。要するに、当該平板面６Ａ１，６Ｂ１一方の側部６４と埋込穴７１との接触間隔が捻り部６３を設けない板ばねよりも短くなることで、当該側部６４と埋込穴７１の周縁７２との間に比較的大きな摩擦力が生じやすいようになっている。これにより、器具本体１０のフランジ１９の上面が埋込穴７１の周辺の天井壁７に圧接して良好な取付状態となる。
【００４６】
したがって、本実施形態の板ばね６，６によれば、天井壁７の板厚が薄いものであっても厚いものであっても良好な取付状態とすることができるので、汎用性を高まることができる。
【００４７】
なお、光源３は、例えば白熱電球、ＬＥＤ、ＨＩＤ光源等用いることができる。また、板ばね６は、一対以外に、３個または４個設けることもできる。さらにまた、光源３及び板ばね５以外の構成でも上記実施形態に各構成は限定されず、本実施形態の作用を奏することができるものであれば、如何なる構成でもよい。
【図面の簡単な説明】
【００４８】
【図１】第一実施形態の埋込形照明器具を板厚の薄い天井壁へ取付けた状態を示す正面断面図
【図２】同上図１の埋込形照明器具の要部を示した側面図
【図３】同上図１の埋込形照明器具を天井に取付けた状態を示す説明図
【図４】同上図１の埋込形照明器具を板厚の厚い天井壁へ取付けた状態を示す正面図
【符号の説明】
【００４９】
１…照明器具、１０…器具本体、３…光源、５…反射板、６…板ばね、６３…捻り部
【図１】
2006185602.tif 000003
【図２】
2006185602.tif 000004
【図３】
2006185602.tif 000005
【図４】
2006185602.tif 000006